(57)【特許請求の範囲】
【請求項１】
伸縮車体機構（１）と、左拡張支持機構（２）と、右拡張支持機構（３）と、拡張制御機構（４）と、拡張位置規制機構（５）と、伸縮マウント機構（６）と、変位調節機構（７）と、カメラ取付台（８）とを備える無軌道式映画・テレビ撮影車であって、
前記拡張制御機構（４）が前記伸縮車体機構（１）後端の中央に固定接続され、
前記拡張制御機構（４）の左右両端が前記左拡張支持機構（２）と前記右拡張支持機構（３）にそれぞれ伝動接続され、
前記左拡張支持機構（２）と前記右拡張支持機構（３）とが前記伸縮車体機構（１）の左右両端にそれぞれ摺動接続され、
前記左拡張支持機構（２）の先端が前記伸縮車体機構（１）に伝動接続され、
前記右拡張支持機構（３）の先端が前記伸縮マウント機構（６）に伝動接続され、
前記伸縮マウント機構（６）の下端が前記伸縮車体機構（１）の先端に可動接続され、
前記伸縮マウント機構（６）に前記変位調節機構（７）が接続され、
前記変位調節機構（７）の上端が前記カメラ取付台（８）に固定接続され、
前記拡張位置規制機構（５）が前記伸縮車体機構（１）後端の中央に接続され、
前記拡張位置規制機構（５）が前記左拡張支持機構（２）と前記右拡張支持機構（３）との間に係止され、
前記拡張制御機構（４）が座席（４０１）と、スライドパイプ（４０２）と、支柱（４０３）と、圧縮ばね（４０４）と、制御リンク（４０５）と、水平ロッド（４０６）とを含み、
前記座席（４０１）の下端が２つのスライドパイプ（４０２）に固定接続され、２つのスライドパイプ（４０２）の下端が２つの支柱（４０３）に摺動嵌合され、２つの支柱（４０３）の下端が前記伸縮車体機構（１）に固定接続され、２つの前記スライドパイプ（４０２）の内部に圧縮ばね（４０４）がそれぞれ設けられ、
前記圧縮ばね（４０４）の両端が前記座席（４０１）の底面と前記支柱（４０３）の上面にそれぞれ固定接続され、
前記座席（４０１）後端の両側が１つの制御リンク（４０５）の上端にそれぞれ回転接続され、２つの制御リンク（４０５）の下端が１つの水平ロッド（４０６）の外端にそれぞれ回転接続され、２つの水平ロッド（４０６）の内端が前記左拡張支持機構（２）と前記右拡張支持機構（３）にそれぞれ固定接続され、
前記伸縮車体機構（１）が前フレーム（１０１）と、後フレーム（１０２）と、第１のギヤ（１０３）と、親ねじ（１０４）と、手押しフレーム（１０５）とを含み、
前記前フレーム（１０１）後端の上面が前記後フレーム（１０２）先端の底面に摺動嵌合され、
前記左拡張支持機構（２）の先端が前記第１のギヤ（１０３）に伝動接続され、前記第１のギヤ（１０３）が前記親ねじ（１０４）の先端に固定接続され、
前記親ねじ（１０４）の先端が前記前フレーム（１０１）に回転嵌合されて接続され、前記親ねじ（１０４）の後端がネジにより前記後フレーム（１０２）のネジ溝に嵌合され、
前記後フレーム（１０２）の後端が前記手押しフレーム（１０５）に固定接続され、２つの支柱（４０３）の下端が前記後フレーム（１０２）に固定接続され、
前記左拡張支持機構（２）が左前スライドプレート（２０１）と、左後スライドプレート（２０２）と、左前スライドブロック（２０３）と、左後スライドブロック（２０４）と、左ユニバーサルホイール（２０５）と、左サポートプレート（２０６）と、左スリーブ（２０７）と、伝動ラック（２０８）とを含み、
前記左前スライドプレート（２０１）の内端が前記前フレーム（１０１）の拡張スライドレール内に摺動嵌合され、
前記左前スライドプレート（２０１）の内端が前記左前スライドブロック（２０３）の後端に固定接続され、
前記左前スライドブロック（２０３）の先端が前記伝動ラック（２０８）の左端に固定接続され、
前記伝動ラック（２０８）の上端が前記第１のギヤ（１０３）に噛合されて伝動接続され、
前記左前スライドプレート（２０１）の外端が前記左サポートプレート（２０６）の先端に固定接続され、
前記左サポートプレート（２０６）の後端が前記左スリーブ（２０７）内に摺動嵌合され、
前記左スリーブ（２０７）の後端が前記左後スライドプレート（２０２）の外端に固定接続され、
前記左後スライドプレート（２０２）の内端が前記後フレーム（１０２）の拡張スライドレール内に摺動嵌合され、
前記左後スライドプレート（２０２）の内端が前記左後スライドブロック（２０４）の先端に固定接続され、
前記左後スライドブロック（２０４）が１つの前記水平ロッド（４０６）の内端に固定接続され、
前記左後スライドブロック（２０４）の後端が前記拡張位置規制機構（５）の外端に係止され、
前記左前スライドプレート（２０１）と前記左後スライドプレート（２０２）との下端が１つの左ユニバーサルホイール（２０５）にそれぞれ回転嵌合されて接続され、
前記左サポートプレート（２０６）の後端に左位置規制スライドブロックが固定接続され、
前記左位置規制スライドブロックが前記左スリーブ（２０７）底面の位置規制スライドレール内に摺動嵌合されることを特徴とする、
無軌道式映画・テレビ撮影車。
【請求項２】
前記右拡張支持機構（３）が右前スライドプレート（３０１）と、右後スライドプレート（３０２）と、右前スライドブロック（３０３）と、右後スライドブロック（３０４）と、右ユニバーサルホイール（３０５）と、右サポートプレート（３０６）と、右スリーブ（３０７）と、両面ラック（３０８）とを含み、
前記右前スライドプレート（３０１）の内端が前記前フレーム（１０１）の拡張スライドレール内に摺動嵌合され、
前記右前スライドプレート（３０１）の内端が前記右前スライドブロック（３０３）の下端に固定接続され、
前記右前スライドブロック（３０３）の上端が前記前フレーム（１０１）上面の左右スライドレール内に摺動嵌合され、
前記右前スライドブロック（３０３）の上端が前記両面ラック（３０８）の右端に固定接続され、
前記両面ラック（３０８）両側の歯が前記伸縮マウント機構（６）に噛合されて伝動接続され、
前記右前スライドプレート（３０１）の外端が前記右サポートプレート（３０６）の先端に固定接続され、
前記右サポートプレート（３０６）の後端が前記右スリーブ（３０７）内に摺動嵌合され、
前記右スリーブ（３０７）の後端が前記右後スライドプレート（３０２）の外端に固定接続され、
前記右後スライドプレート（３０２）の内端が前記後フレーム（１０２）の拡張スライドレール内に摺動嵌合され、
前記右後スライドプレート（３０２）の内端が前記右後スライドブロック（３０４）の先端に固定接続され、
前記右後スライドブロック（３０４）が他の前記水平ロッド（４０６）の内端に固定接続され、
前記右後スライドブロック（３０４）の後端が前記拡張位置規制機構（５）の外端に係止され、
前記右前スライドプレート（３０１）と前記右後スライドプレート（３０２）との下端が１つの右ユニバーサルホイール（３０５）にそれぞれ回転嵌合されて接続され、
前記右サポートプレート（３０６）の後端に右位置規制スライドブロックが固定接続され、
前記右位置規制スライドブロックが前記右スリーブ（３０７）底面の位置規制スライドレール内に摺動嵌合されることを特徴とする、
請求項１に記載の無軌道式映画・テレビ撮影車。
【請求項３】
前記拡張位置規制機構（５）が位置規制ストッパー（５０１）と、双方向スクリュー（５０２）と、スクリューベース（５０３）と、調節回転ブロック（５０４）とを含み、
前記双方向スクリュー（５０２）の外端に調節回転ブロック（５０４）が固定接続され、
前記双方向スクリュー（５０２）の両端が１つのスクリューベース（５０３）にそれぞれ回転嵌合され、２つのスクリューベース（５０３）が前記後フレーム（１０２）の両端に対向して固定され、
前記双方向スクリュー（５０２）に２つの対称的に配置された位置規制ストッパー（５０１）がネジにより嵌合接続され、２つの位置規制ストッパー（５０１）の前側面が前記後フレーム（１０２）の後側面に摺動嵌合され、２つの位置規制ストッパー（５０１）が前記左後スライドブロック（２０４）と前記右後スライドブロック（３０４）との内端に係止されることを特徴とする、
請求項２に記載の無軌道式映画・テレビ撮影車。
【請求項４】
前記伸縮マウント機構（６）が連動ギア（６０１）と、連動スクリュー（６０２）と、昇降スリーブ（６０３）と、シュートフレーム（６０４）とを含み、
前記連動スクリュー（６０２）が２つ設けられ、２つの連動スクリュー（６０２）の下端が前記前フレーム（１０１）の上面にそれぞれ回転嵌合され、２つの前記連動スクリュー（６０２）の下端が１つの連動ギア（６０１）にそれぞれ固定接続され、２つの連動ギア（６０１）が前記両面ラック（３０８）両側の歯に噛合されて伝動接続され、２つの前記連動スクリュー（６０２）の上端がネジにより２つの昇降スリーブ（６０３）の内側に嵌合され、２つの昇降スリーブ（６０３）の上端が前記シュートフレーム（６０４）底面の先端に固定接続されることを特徴とする、
請求項２に記載の無軌道式映画・テレビ撮影車。
【請求項５】
前記変位調節機構（７）が矩形スタンド（７０１）と、Ｔ型スライドブロック（７０２）と、調節スクリュー（７０３）と、固定サポートプレート（７０４）と、引張スプリング（７０５）と、押引リンク（７０６）と、変位スライドベース（７０７）と、回転軸（７０８）とを含み、
前記矩形スタンド（７０１）の上端が前記シュートフレーム（６０４）底面の後端に固定接続され、
前記Ｔ型スライドブロック（７０２）の先端が前記矩形スタンド（７０１）の縦スライドレール内に摺動嵌合され、
前記Ｔ型スライドブロック（７０２）の後端がネジにより前記調節スクリュー（７０３）の中央に嵌合され、
前記調節スクリュー（７０３）の下端が前記固定サポートプレート（７０４）に回転嵌合されて接続され、
前記固定サポートプレート（７０４）が前記矩形スタンド（７０１）に固定接続され、
前記Ｔ型スライドブロック（７０２）の両端が１つの押引リンク（７０６）の下端にそれぞれ回転接続され、２つの押引リンク（７０６）の上端が前記変位スライドベース（７０７）の両端に回転嵌合され、
前記変位スライドベース（７０７）が前記シュートフレーム（６０４）のガイドスライド溝内に摺動嵌合され、
前記回転軸（７０８）の下端が前記変位スライドベース（７０７）の円形貫通孔内に回転嵌合されて接続され、
前記回転軸（７０８）の上端が前記カメラ取付台（８）に固定接続され、前記引張スプリング（７０５）が前記調節スクリュー（７０３）に外嵌され、
前記引張スプリング（７０５）の両端が前記Ｔ型スライドブロック（７０２）と固定サポートプレート（７０４）とにそれぞれ固定接続されることを特徴とする、
請求項４に記載の無軌道式映画・テレビ撮影車。
【請求項６】
前記変位スライドベース（７０７）にロックボルト（７０９）がネジにより嵌合接続され、
前記ロックボルト（７０９）の内側が前記回転軸（７０８）に押圧されることを特徴とする、
請求項５に記載の無軌道式映画・テレビ撮影車。
【請求項７】
前記カメラ取付台（８）が取付台（８０１）と、反転ブラケット（８０２）と、反転軸（８０３）と、ベアリングベース（８０４）と、ウォームホイール（８０５）と、ウォームリンク（８０６）と、回転板（８０７）と、ハンドレバー（８０８）とを含み、
前記回転軸（７０８）の上端が前記ベアリングベース（８０４）の中央に固定接続され、
前記反転軸（８０３）が前記ベアリングベース（８０４）に回転嵌合されて接続され、
前記反転軸（８０３）の中央が前記反転ブラケット（８０２）の一端に固定接続され、
前記反転ブラケット（８０２）の他端が前記取付台（８０１）の中央に固定接続され、
前記ウォームホイール（８０５）が前記反転軸（８０３）に固定接続され、
前記ウォームリンク（８０６）が前記ウォームホイール（８０５）に噛合されて伝動接続され、
前記ウォームリンク（８０６）が前記ベアリングベース（８０４）に回転嵌合され、
前記ウォームリンク（８０６）が前記回転板（８０７）の一端に固定接続され、
前記回転板（８０７）の他端が前記ハンドレバー（８０８）に固定接続され、
前記ハンドレバー（８０８）と前記ウォームリンク（８０６）とが前記回転板（８０７）の両側に位置することを特徴とする、
請求項５に記載の無軌道式映画・テレビ撮影車。
【発明の詳細な説明】
【技術分野】
【０００１】
本発明は、撮影機器分野に関し、具体的に、無軌道式映画・テレビ撮影車に関する。
【背景技術】
【０００２】
映画・テレビ作品の撮影においては、不動の物体の運動効果を撮影する要求があり、従来技術において映画・テレビ撮影車一般的に用いられ、具体的に、レールが予め敷設された台車に撮影者が乗っており、レール上を台車を移動させることによりレンズを横に移動させて不動の物体を撮影する。中国特許公告号ＣＮ２１０７７１２９３Ｕに係る映画・テレビ撮影レール車は、レールと、ベースと、カメラとを備え、伸縮モーターと速度調節ノブとを設置することにより、ベースがレール上で所定の速度で移動することを実現し、人の力で押す必要がない。この従来技術の著しい欠点は、デバイスの分解が複雑であり、撮影時に異なる移動距離に応じてレールの敷設数を調整し、その後にレールを組み立て、撮影が完了した後にレールを分解して収納しなければならなく、これらの車レールは、体積が大きく、携帯に不便であり、敷設の過程でかなりの困難性を有する。
【先行技術文献】
【特許文献】
【０００３】
【特許文献１】中国特許公告号ＣＮ２１０７７１２９３Ｕ
【発明の概要】
【課題を解決するための手段】
【０００４】
本発明の目的は、レールの敷設を必要としない無軌道式映画・テレビ撮影車を提供することであり、従来技術の問題点を有効に解決できる無軌道式映画・テレビ撮影車を提供することにある。
【０００５】
本願は、上記の目的を実現するために、無軌道式映画・テレビ撮影車を提供し、伸縮車体機構と、左拡張支持機構と、右拡張支持機構と、拡張制御機構と、拡張位置規制機構と、伸縮マウント機構と、変位調節機構と、カメラ取付台とを備え、前記拡張制御機構が前記伸縮車体機構後端の中央に固定接続され、前記拡張制御機構の左右両端が前記左拡張支持機構と前記右拡張支持機構にそれぞれ伝動接続され、前記左拡張支持機構と前記右拡張支持機構が前記伸縮車体機構の左右両端にそれぞれ摺動接続され、前記左拡張支持機構の先端が前記伸縮車体機構に伝動接続され、前記右拡張支持機構の先端が前記伸縮マウント機構に伝動接続され、前記伸縮マウント機構の下端が前記伸縮車体機構の先端に可動接続され、前記伸縮マウント機構に前記変位調節機構が接続され、前記変位調節機構の上端が前記カメラ取付台に固定接続され、前記拡張位置規制機構が前記伸縮車体機構後端の中央に接続され、前記拡張位置規制機構が前記左拡張支持機構と前記右拡張支持機構との間に係止される。
【０００６】
本発明は、以下の有利な効果を有する。
本発明の無軌道式映画・テレビ撮影車は、レール敷設を必要とせず、操作が便利で、携帯に便利であり、その全体は、伸張または収縮が可能であり、伸張後、本発明の作業時の安定性を向上させることができ、より多くの撮影用の撮像デバイスを置いて、撮影過程での使用を便利にし、収縮後、その全体は、運搬移動または車両による輸送が便利であり、占用面積が小さくなり、本発明の内部には、伸縮車体機構の展開に伴って自動的に上昇する伸縮マウント機構が設けられ、伸縮マウント機構は、変位調節機構とカメラ取付台が昇降するように駆動し、カメラの取り付け及び撮影を便利にし、本発明の内部の変位調節機構は、カメラ取付台に取り付けられたカメラがレンズのズームイン又はレンズのズームアウト動作を安定に行うように駆動し、効果が良くなり、画面の揺れを防止し、本発明の内部のカメラ取付台は、これに取り付けられたカメラの傾斜角度を調節して、俯瞰撮影または見上げて撮影させることができる。
本発明の上記目的、特徴および利点をより明瞭にするために、以下の好ましい実施例を挙げ、添付の図面と合わせて以下に詳細に説明する。
【図面の簡単な説明】
【０００７】
本発明の実施の形態又は関連技術の技術的思想をより明確に説明するために、以下の実施の形態又は関連技術の説明で必要となる図面を簡単に説明するが、以下の説明における図面は本発明の実施の形態の一部であり、当業者であれば創造的な労力を要することなく他の図面をそれら図面から入手することができることは明らかである。
【図１】本発明の実施例における全体模式図一である。
【図２】本発明の実施例における全体模式図二である
【図３】本発明の実施例における伸縮車体機構の模式図である。
【図４】本発明の実施例における左拡張支持機構の模式図である。
【図５】本発明の実施例における右拡張支持機構の模式図である。
【図６】本発明の実施例における拡張制御機構の模式図である。
【図７】本発明の実施例における拡張制御機構の一部の構成の模式図である。
【図８】本発明の実施例における拡張位置規制機構の模式図である。
【図９】本発明の実施例における伸縮マウント機構の模式図である。
【図１０】本発明の実施例における変位調節機構の模式図である。
【図１１】本発明の実施例におけるカメラ取付台の模式図である。
【発明を実施するための形態】
【０００８】
当業者が本願の技術案をより良く理解するために、以下に本願の実施例における技術案を明確且つ完全に説明するが、明らかに、記載された実施例は本願の一部の実施例にすぎず、全ての実施例でない。本願における実施例に基づいて、発明的な労働をすることなく当業者によって得られる他のすべての実施例は、本願の保護範囲に属する。
以下、図面１−１１を参照して本発明を説明する。
【０００９】
図１−１１に示すように、無軌道式映画・テレビ撮影車は、伸縮車体機構１と、左拡張支持機構２と、右拡張支持機構３と、拡張制御機構４と、拡張位置規制機構５と、伸縮マウント機構６と、変位調節機構７と、カメラ取付台８とを備え、前記拡張制御機構４が前記伸縮車体機構１後端の中央に固定接続され、前記拡張制御機構４の左右両端が前記左拡張支持機構２と前記右拡張支持機構３とにそれぞれ伝動接続され、前記左拡張支持機構２と前記右拡張支持機構３とが前記伸縮車体機構１の左右両端にそれぞれ摺動接続され、前記左拡張支持機構２の先端が前記伸縮車体機構１に伝動接続され、前記右拡張支持機構３の先端が前記伸縮マウント機構６に伝動接続され、前記伸縮マウント機構６の下端が前記伸縮車体機構１の先端に可動接続され、前記伸縮マウント機構６に前記変位調節機構７が接続され、前記変位調節機構７の上端が前記カメラ取付台８に固定接続され、前記拡張位置規制機構５が前記伸縮車体機構１後端の中央に接続され、前記拡張位置規制機構５が前記左拡張支持機構２と前記右拡張支持機構３との間に係止される。
【００１０】
本発明に係る無軌道式映画・テレビ撮影車は、レール敷設を必要とせず、操作が便利で、携帯に便利であり、本発明は展開が必要な場合、作業者が伸縮車体機構１を押したり引いたりすることで本発明を移動するために、伸縮車体機構１を持ち、撮影者が伸縮車体機構１上に立った後、拡張制御機構４に着座し、拡張制御機構４に下向きの圧力を発生させ、拡張制御機構４の駆動により、左拡張支持機構２および右拡張支持機構３を伸縮車体機構１内で外側に拡張させ、左拡張支持機構２および右拡張支持機構３による本発明の全体的な支持効果を向上させ、本発明の横転しを防止し、また、左拡張支持機構２、右拡張支持機構３及び伸縮車体機構１からなる車体フレームにより多くの撮影機器を搭載可能とし、前記左拡張支持機構２が外側に動くと、伸縮車体機構１が伸びるように駆動し、伸縮車体機構１の全体の長さを増大させることができ、前記右拡張支持機構３が外側に動くと、伸縮マウント機構６を上昇させて広げるように駆動し、伸縮マウント機構６の駆動により変位調節機構７及びカメラ取付台８を昇降させてカメラを取り付けて撮影し使用しやすくなり、拡張位置規制機構５により拡張後の左拡張支持機構２と右拡張支持機構３を位置規制して、撮影者が伸縮車体機構１から離脱する際に本発明の拡張状態を維持することができ、一方、拡張位置規制機構５による拡張された左拡張支持機構２と右拡張支持機構３の位置規制を解除した後、撮影者が伸縮車体機構１から離脱する際に本発明の全体が拡張制御機構４の内部の弾力により元の位置に収縮し、収縮後、全体が運搬移動や車両による輸送に便利であり、占用面積が小さくなり、本発明の内部の変位調節機構７は、カメラ取付台８に取り付けられたカメラを駆動してレンズのズームイン又はレンズのズームアウト動作を安定に行うように駆動し、効果が良くなり、画面の揺れを防止し、本発明の内部のカメラ取付台８は、これに取り付けられたカメラの傾斜角度を調節して、俯瞰撮影または見上げて撮影させることができる。
【００１１】
図１−１１に示すように、前記拡張制御機構４が座席４０１と、スライドパイプ４０２と、支柱４０３と、圧縮ばね４０４と、制御リンク４０５と、水平ロッド４０６とを含み、前記座席４０１の下端が２つのスライドパイプ４０２に固定接続され、２つのスライドパイプ４０２の下端が２つの支柱４０３に摺動嵌合され、２つの支柱４０３の下端が前記伸縮車体機構１に固定接続され、２つの前記スライドパイプ４０２の内部に圧縮ばね４０４がそれぞれ設けられ、前記圧縮ばね４０４の両端が前記座席４０１の底面と前記支柱４０３の上面にそれぞれ固定接続され、前記座席４０１後端の両側が１つの制御リンク４０５の上端にそれぞれ回転接続され、２つの制御リンク４０５の下端が１つの水平ロッド４０６の外端に回転接続され、２つの水平ロッド４０６の内端が前記左拡張支持機構２と前記右拡張支持機構３とにそれぞれ固定接続される。撮影者は、前記拡張制御機構４内部の座席４０１に着座し、着座したと同時に左拡張支持機構２と右拡張支持機構３が拡張するように制御し、撮影者が座席４０１に着座し、座席４０１が下に動くと、２つのスライドパイプ４０２が支柱４０３で下にスライドして２つの圧縮ばね４０４を圧縮し、座席４０１は、２つの制御リンク４０５の駆動によって２つの水平ロッド４０６を同期させて外側に動かせ、２つの水平ロッド４０６が外側に動くと、左拡張支持機構２と右拡張支持機構３を伸縮車体機構１内で外側に伸び出して拡張させるように駆動し、これにより、左拡張支持機構２と右拡張支持機構３による本発明の全体の支持効果を増強し、本発明の作動中の安定性を向上させ、一方、撮影者が座席４０１から離れると、座席４０１は２つの圧縮ばね４０４の弾力によって上方向に動き、座席４０１が上方向に復帰する過程で２つの制御リンク４０５の駆動により２つの水平ロッドを同期させて内側方向に動かせ、水平ロッド４０６の駆動により左拡張支持機構２と右拡張支持機構３を伸縮車体機構１の内側に収縮させ、本発明の全体は運搬移動や車両による輸送に便利であり、占用面積が小さくなる。
【００１２】
図１−１１に示すように、前記伸縮車体機構１が前フレーム１０１と、後フレーム１０２と、第１のギヤ１０３と、親ねじ１０４と、手押しフレーム１０５とを含み、前記前フレーム１０１後端の上面が前記後フレーム１０２先端の底面に摺動嵌合され、前記左拡張支持機構２の先端が前記第１のギヤ１０３に伝動接続され、前記第１のギヤ１０３が前記親ねじ１０４の先端に固定接続され、前記親ねじ１０４の先端が前記前フレーム１０１に回転嵌合されて接続され、前記親ねじ１０４の後端がネジにより前記後フレーム１０２のネジ溝内に嵌合され、前記後フレーム１０２の後端が前記手押しフレーム１０５に固定接続され、２つの支柱４０３の下端が前記後フレーム１０２に固定接続される。前記伸縮車体機構１内部の第１のギヤ１０３が左拡張支持機構２の駆動により回転され、第１のギヤ１０３が回転すると親ねじ１０４を回転させるように駆動し、親ねじ１０４が回転すると、前記前フレーム１０１後端の上面が前記後フレーム１０２先端の底面に対してスライドするように駆動することで、前フレーム１０１と後フレーム１０２との相対位置を調節し、左拡張支持機構２が外側に延び出すと、第１のギヤ１０３と親ねじ１０４の駆動により、前フレーム１０１と後フレーム１０２との距離が大きくなり、前フレーム１０１と後フレーム１０２の全体の長さを増大させ、反対に、その全体の長さを低減させ、前記伸縮車体機構１の拡張収縮が前記左拡張支持機構２と前記右拡張支持機構３との拡張収縮と同期に動作することで、本発明の全体構成の変形の容易性が高められている。
【００１３】
図１−１１に示すように、前記左拡張支持機構２が左前スライドプレート２０１と、左後スライドプレート２０２と、左前スライドブロック２０３と、左後スライドブロック２０４と、左ユニバーサルホイール２０５と、左サポートプレート２０６と、左スリーブ２０７と、伝動ラック２０８とを含み、前記左前スライドプレート２０１の内端が前記前フレーム１０１の拡張スライドレール内に摺動嵌合され、前記左前スライドプレート２０１の内端が前記左前スライドブロック２０３の後端に固定接続され、前記左前スライドブロック２０３の先端が前記伝動ラック２０８の左端に固定接続され、前記伝動ラック２０８の上端が前記第１のギヤ１０３に噛合されて伝動接続され、前記左前スライドプレート２０１の外端が前記左サポートプレート２０６の先端に固定接続され、前記左サポートプレート２０６の後端が前記左スリーブ２０７内に摺動嵌合され、前記左スリーブ２０７の後端が前記左後スライドプレート２０２の外端に固定接続され、前記左後スライドプレート２０２の内端が前記後フレーム１０２の拡張スライドレール内に摺動嵌合され、前記左後スライドプレート２０２の内端が前記左後スライドブロック２０４の先端に固定接続され、前記左後スライドブロック２０４が１つの前記水平ロッド４０６の内端に固定接続され、前記左後スライドブロック２０４の後端が前記拡張位置規制機構５の外端に係止され、前記左前スライドプレート２０１と前記左後スライドプレート２０２の下端が１つの左ユニバーサルホイール２０５にそれぞれ回転嵌合されて接続され、前記左サポートプレート２０６の後端に左位置規制スライドブロックが固定接続され、前記左位置規制スライドブロックが前記左スリーブ２０７底面の位置規制スライドレール内に摺動嵌合される。前記左拡張支持機構２の展開する場合、左後スライドブロック２０４は１つの水平ロッド４０６の駆動により外側に動き、左後スライドブロック２０４の駆動により左後スライドプレート２０２を外側に動かせ、左後スライドプレート２０２は左スリーブ２０７及び左サポートプレートにより左前スライドプレート２０１を外側に摺動させるよに駆動し、左前スライドプレート２０１及び左後スライドプレート２０２の下端はそれぞれ１つの左ユニバーサルホイール２０５を外側に動かせるように駆動し、これにより本発明に対する支持を拡張し、支持の安定性を向上させ、左前スライドプレート２０１が動くと左前スライドブロック２０３を水平に動かせるように駆動し、左前スライドブロック２０３の駆動により伝動ラック２０８を水平に動かせ、伝動ラックの駆動により第１のギヤ１０３を回転させ、前記伸縮車体機構１の伸縮を制御し、前記伸縮車体機構１の伸縮中に、左サポートプレート２０６が左スリーブ２０７内を摺動し、ガイドと安定接続の役割を果たす。
【００１４】
図１−１１に示すように、前記右拡張支持機構３が右前スライドプレート３０１と、右後スライドプレート３０２と、右前スライドブロック３０３と、右後スライドブロック３０４と、右ユニバーサルホイール３０５と、右サポートプレート３０６と、右スリーブ３０７と、両面ラック３０８とを含み、前記右前スライドプレート３０１の内端が前記前フレーム１０１の拡張スライドレール内に摺動嵌合され、前記右前スライドプレート３０１の内端が前記右前スライドブロック３０３の下端に固定接続され、前記右前スライドブロック３０３の上端が前記前フレーム１０１上面の左右スライドレール内に摺動嵌合され、前記右前スライドブロック３０３の上端が前記両面ラック３０８の右端に固定接続され、前記両面ラック３０８両側の歯が前記伸縮マウント機構６に噛合されて伝動接続され、前記右前スライドプレート３０１の外端が前記右サポートプレート３０６の先端に固定接続され、前記右サポートプレート３０６の後端が前記右スリーブ３０７内に摺動嵌合され、前記右スリーブ３０７の後端が前記右後スライドプレート３０２の外端に固定接続され、前記右後スライドプレート３０２の内端が前記後フレーム１０２の拡張スライドレール内に摺動嵌合され、前記右後スライドプレート３０２の内端が前記右後スライドブロック３０４の先端に固定接続され、前記右後スライドブロック３０４が他の前記水平ロッド４０６の内端に固定接続され、前記右後スライドブロック３０４の後端が前記拡張位置規制機構５の外端に係止され、前記右前スライドプレート３０１と前記右後スライドプレート３０２との下端が１つの右ユニバーサルホイール３０５にそれぞれ回転嵌合されて接続され、前記右サポートプレート３０６の後端に右位置規制スライドブロックが固定接続され、前記右位置規制スライドブロックが前記右スリーブ３０７底面の位置規制スライドレール内に摺動嵌合される。
【００１５】
前記右拡張支持機構３が展開する場合、右後スライドブロック３０４が他の水平ロッド４０６の駆動により外側に動き、右後スライドブロック３０４の駆動により右後スライドプレート３０２を外側に動かせ、右後スライドプレート３０２が右スリーブ３０７及び右サポートプレート３０６により右前スライドプレート３０１を外側に摺動させるように駆動し、右前スライドプレート３０１と右後スライドプレート３０２の下端がそれぞれの右ユニバーサルホイール３０５を外側に動かせるように駆動し、これにより本発明に対する支持を拡張し、支持の安定性を向上させ、右前スライドプレート３０１が動くと右前スライドブロック３０３を水平に動かせるように駆動し、右前スライドブロック３０３の駆動により両面ラック３０８を水平に動かせ、両面ラック３０８の駆動により前記伸縮マウント機構６を伸縮させ、前記伸縮車体機構１の伸縮中に、右サポートプレート３０６が右スリーブ３０７内を摺動し、ガイドと安定接続の役割を果たす。
【００１６】
図１−１１に示すように、前記拡張位置規制機構５が位置規制ストッパー５０１と、双方向スクリュー５０２と、スクリューベース５０３と、調節回転ブロック５０４とを含み、前記双方向スクリュー５０２の外端に調節回転ブロック５０４が固定接続され、前記双方向スクリュー５０２の両端が１つのスクリューベース５０３にそれぞれ回転嵌合され、２つのスクリューベース５０３が前記後フレーム１０２の両端に対向して固定され、前記双方向スクリュー５０２に２つの対称配置された位置規制ストッパー５０１がネジにより嵌合接続され、２つの位置規制ストッパー５０１の前側面が前記後フレーム１０２の後側面に摺動嵌合され、２つの位置規制ストッパー５０１が前記左後スライドブロック２０４と前記右後スライドブロック３０４の内端に係止される。前記拡張位置規制機構５により拡張後の左拡張支持機構２と右拡張支持機構３を位置規制して、撮影者が伸縮車体機構１から離脱する際に本発明の拡張状態を維持することができ、一方、拡張位置規制機構５による拡張された左拡張支持機構２と右拡張支持機構３の位置規制を解除した後、撮影者が伸縮車体機構１から離脱する際に本発明の全体が拡張制御機構４の内部の弾力により元の位置に収縮し、位置規制する必要がある場合、調節回転ブロック５０４を回転して双方向スクリュー５０２を回転させるように駆動し、双方向スクリュー５０２の駆動により２つの位置規制ストッパー５０１を外側に摺動させ、前記左後スライドブロック２０４と前記右後スライドブロック３０４の内端に係止され、前記左後スライドブロック２０４と前記右後スライドブロック３０４との位置を限定し、一方、２つの位置規制ストッパー５０１を内側に動かせるように制御して、２つの位置規制ストッパー５０１の内側面が当接する。
【００１７】
図１−１１に示すように、前記伸縮マウント機構６が連動ギア６０１と、連動スクリュー６０２と、昇降スリーブ６０３と、シュートフレーム６０４とを含み、前記連動スクリュー６０２が２つ設けられ、２つの連動スクリュー６０２の下端が前記前フレーム１０１の上面にそれぞれ回転嵌合され、２つの前記連動スクリュー６０２の下端が１つの連動ギア６０１にが固定接続され、２つの連動ギア６０１が前記両面ラック３０８両側の歯に噛合されて伝動接続され、２つの前記連動スクリュー６０２の上端がネジにより２つの昇降スリーブ６０３の内側に嵌合され、２つの昇降スリーブ６０３の上端が前記シュートフレーム６０４底面の先端に固定接続される。前記伸縮マウント機構６内部の２つの連動ギア６０１が前記両面ラック３０８の駆動により回転し、２つの連動ギア６０１が回転すると２つの連動スクリュー６０２を回転させるように駆動し、２つの連動スクリュー６０２が回転すると２つの昇降スリーブ６０３を昇降させるように駆動し、２つの昇降スリーブ６０３の駆動によりシュートフレーム６０４を昇降させることで、伸縮マウント機構６の伸縮が完了し、伸縮されたシュートフレーム６０４の高さは、カメラの取り付け、撮影作業を便利にし、収縮された前記伸縮マウント機構６は、占有スペースを小さくなり、出荷や運搬を便利にする。
【００１８】
図１−１１に示すように、前記変位調節機構７が矩形スタンド７０１と、Ｔ型スライドブロック７０２と、調節スクリュー７０３と、固定サポートプレート７０４と、引張スプリング７０５と、押引リンク７０６と、変位スライドベース７０７と、回転軸７０８とを含み、前記矩形スタンド７０１の上端が前記シュートフレーム６０４底面の後端に固定接続され、前記Ｔ型スライドブロック７０２の先端が前記矩形スタンド７０１の縦スライドレール内に摺動嵌合され、前記Ｔ型スライドブロック７０２の後端がネジにより前記調節スクリュー７０３の中央に嵌合され、前記調節スクリュー７０３の下端が前記固定サポートプレート７０４に回転嵌合されて接続され、前記固定サポートプレート７０４が前記矩形スタンド７０１に固定接続され、前記Ｔ型スライドブロック７０２の両端１つの押引リンク７０６の下端にそれぞれ回転接続され、２つの押引リンク７０６の上端が前記変位スライドベース７０７の両端に回転嵌合され、前記変位スライドベース７０７が前記シュートフレーム６０４のガイドスライド溝内に摺動嵌合され、前記回転軸７０８の下端が前記変位スライドベース７０７の円形貫通孔内に回転嵌合されて接続され、前記回転軸７０８の上端が前記カメラ取付台８に固定接続され、前記引張スプリング７０５が前記調節スクリュー７０３に外嵌され、前記引張スプリング７０５の両端が前記Ｔ型スライドブロック７０２と固定サポートプレート７０４とにそれぞれ固定接続される。前記変位調節機構７内部の変位スライドベース７０７の位置は、シュートフレーム６０４内に摺動して調節することができ、前記カメラ取付台８に取り付けられたカメラの前後の動きを駆動することで、レンズのズームイン又はレンズのズームアウト動作を安定に行うことができ、効果が良くなり、画面の揺れを防止し、調節を行う場合、調節スクリュー７０３を回転して調節スクリュー７０３とＴ型スライドブロック７０２との接触位置を変更することで、Ｔ型スライドブロック７０２の矩形スタンド７０１内への上下の動きを駆動し、Ｔ型スライドブロック７０２の上下の動きにおいて２つの押引リンク７０６により変位スライドベース７０７が前記シュートフレーム６０４のガイドスライド溝内に前後摺動するように押し引くことで、カメラのレンズのズームイン又はレンズのズームアウト動作を安定に行うことができ。
【００１９】
図１−１１に示すように、前記変位スライドベース７０７にロックボルト７０９がネジにより嵌合接続され、前記ロックボルト７０９の内側が前記回転軸７０８に押す。前記カメラ取付台８が回転軸７０８により回転し、カメラ取付台８上のカメラの向きを変更してから、ロックボルト７０９を締め回転軸７０８に押し付けることによって、回転軸７０８と前記カメラ取付台８とカメラとの相対的な固定が可能となる。
【００２０】
図１−１１に示すように、前記カメラ取付台８が取付台８０１と、反転ブラケット８０２と、反転軸８０３と、ベアリングベース８０４と、ウォームホイール８０５と、ウォームリンク８０６と、回転板８０７と、ハンドレバー８０８とを含み、前記回転軸７０８の上端が前記ベアリングベース８０４の中央に固定接続され、前記反転軸８０３が前記ベアリングベース８０４に回転嵌合されて接続され、前記反転軸８０３の中央が前記反転ブラケット８０２の一端に固定接続され、前記反転ブラケット８０２の他端が前記取付台８０１の中央に固定接続され、前記ウォームホイール８０５が前記反転軸８０３に固定接続され、前記ウォームリンク８０６が前記ウォームホイール８０５に噛合されて伝動接続され、前記ウォームリンク８０６が前記ベアリングベース８０４に回転嵌合され、前記ウォームリンク８０６が前記回転板８０７の一端に固定接続され、前記回転板８０７の他端が前記ハンドレバー８０８に固定接続され、前記ハンドレバー８０８と前記ウォームリンク８０６とが前記回転板８０７の両側に位置する。本発明の内部のカメラ取付台８は、カメラの俯瞰撮影または見上げて撮影させるために、それに取り付けられたカメラの傾斜角度を調節することができ、前記取付台８０１がカメラに接続され、傾斜角度を調節する必要がある場合、ハンドレバー８０８を揺動し、回転板８０７の駆動によりウォームリンク８０６を自身の軸線周りに回転させ、ウォームリンク８０６が回転するとウォームホイール８０５を回転させ、ウォームホイール８０５の回転の駆動により反転軸８０３を回転させ、反転軸８０３の回転の駆動により反転ブラケット８０２を反転させ、反転ブラケット８０２の駆動により取付台８０１を所定角度の反転運動を行い、取付台８０１の駆動によりカメラの傾斜角度の調整を行い、俯瞰撮影または見上げて撮影させることができ、また、ウォームホイール８０５、ウォームリンク８０６の構造的性質により、調整後にセルフロックを実現し、安定性が良い。
【００２１】
原理として、本発明に係る無軌道式映画・テレビ撮影車は、レール敷設を必要とせず、操作が便利で、携帯に便利であり、本発明は展開が必要な場合、作業者が伸縮車体機構１を押したり引いたりすることで本発明を移動するために、伸縮車体機構１を持ち、撮影者が伸縮車体機構１上に立った後、拡張制御機構４に着座し、拡張制御機構４に下向きの圧力を発生させ、拡張制御機構４は、左拡張支持機構２および右拡張支持機構３が伸縮車体機構１内で外側に拡張させるように駆動して、左拡張支持機構２および右拡張支持機構３による本発明の全体的な支持効果を向上させ、本発明の横転しを防止し、また、左拡張支持機構２、右拡張支持機構３及び伸縮車体機構１からなる車体フレームにより多くの撮影機器を搭載可能とし、前記左拡張支持機構２が外側に動くと、伸縮車体機構１が伸びるように駆動し、伸縮車体機構１の全体の長さを増大させることができ、前記右拡張支持機構３が外側に動くと、伸縮マウント機構６を上昇させて広げるように駆動し、伸縮マウント機構６の駆動により変位調節機構７及びカメラ取付台８を昇降させてカメラを取り付けて撮影し使用しやすくなり、拡張位置規制機構５により拡張後の左拡張支持機構２と右拡張支持機構３を位置規制して、撮影者が伸縮車体機構１から離脱する際に本発明の拡張状態を維持することができ、一方、拡張位置規制機構５による拡張された左拡張支持機構２と右拡張支持機構３の位置規制を解除した後、撮影者が伸縮車体機構１から離脱する際に本発明の全体が拡張制御機構４の内部の弾力により元の位置に収縮し、収縮後、全体が運搬移動や車両による輸送に便利であり、占用面積が小さくなり、本発明の内部の変位調節機構７は、カメラ取付台８に取り付けられたカメラを駆動してレンズのズームイン又はレンズのズームアウト動作を安定に行うように駆動し、効果が良くなり、画面の揺れを防止し、本発明の内部のカメラ取付台８は、これに取り付けられたカメラの傾斜角度を調節して、俯瞰撮影または見上げて撮影させることができる。
【符号の説明】
【００２２】
伸縮車体機構１、前フレーム１０１、後フレーム１０２、第１のギヤ１０３、親ねじ１０４、手押しフレーム１０５、左拡張支持機構２、左前スライドプレート２０１、左後スライドプレート２０２、左前スライドブロック２０３、左後スライドブロック２０４、左ユニバーサルホイール２０５、左サポートプレート２０６、左スリーブ２０７、伝動ラック２０８、右拡張支持機構３、右前スライドプレート３０１、右後スライドプレート３０２、右前スライドブロック３０３、右後スライドブロック３０４、右ユニバーサルホイール３０５、右サポートプレート３０６、右スリーブ３０７、両面ラック３０８、拡張制御機構４、座席４０１、スライドパイプ４０２、支柱４０３、圧縮ばね４０４、制御リンク４０５、水平ロッド４０６、拡張位置規制機構５、位置規制ストッパー５０１、双方向スクリュー５０２、スクリューベース５０３、調節回転ブロック５０４、伸縮マウント機構６、連動ギア６０１、連動スクリュー６０２、昇降スリーブ６０３、シュートフレーム６０４、変位調節機構７、矩形スタンド７０１、Ｔ型スライドブロック７０２、調節スクリュー７０３、固定サポートプレート７０４、引張スプリング７０５、押引リンク７０６、変位スライドベース７０７、回転軸７０８、ロックボルト７０９、カメラ取付台８、取付台８０１、反転ブラケット８０２、反転軸８０３、ベアリングベース８０４、ウォームホイール８０５、ウォームリンク８０６、回転板８０７、ハンドレバー８０８
【要約】
【課題】レールを敷設する必要がなく、全体として伸張又は収縮が可能であり、伸張後が作業時の安定性を向上させることができ、収縮後が全体として運搬移動が容易である無軌道式映画・テレビ撮影車を提供する。
【解決手段】  無軌道式映画・テレビ撮影車は、伸縮車体機構１と、左拡張支持機構２と、右拡張支持機構３と、拡張制御機構４と、拡張位置規制機構５と、伸縮マウント機構６と、変位調節機構７と、カメラ取付台８とを備える。
【選択図】図１【図１】
0006951721.tif 000002
【図２】
0006951721.tif 000003
【図３】
0006951721.tif 000004
【図４】
0006951721.tif 000005
【図５】
0006951721.tif 000006
【図６】
0006951721.tif 000007
【図７】
0006951721.tif 000008
【図８】
0006951721.tif 000009
【図９】
0006951721.tif 000010
【図１０】
0006951721.tif 000011
【図１１】
0006951721.tif 000012